(57)【要約】  【課題】携帯性を向上させ簡便に撮影環境を構築できるようなキットを提供する。  【解決手段】被写体の背景として配置されるバックシート２と、少なくとも前記バックシート２を収納する保護ケース４と、前記保護ケース４を運搬可能に保持するとともに撮影時に前記バックシート２を支持し得る運搬ケースとを具備する撮影環境構築キットを構成した。  【選択図】図５
2005141146.tif 000002
【特許請求の範囲】
【請求項１】
被写体の背景として配置されるバックシートと、少なくとも前記バックシートを収納する保護ケースと、前記保護ケースを運搬可能に保持するとともに撮影時に前記バックシートを支持し得る運搬ケースとを具備する撮影環境構築キット。
【請求項２】
被写体の近辺に配置されるレフレクタをさらに具備しており、
前記保護ケースに前記レフレクタをも収納し得る請求項１記載の撮影環境構築キット。
【請求項３】
前記保護ケースは、前記レフレクタに前記バックシートを巻いた状態でレフレクタ及びバックシートを収納し得るものである請求項２記載の撮影環境構築キット。
【請求項４】
前記レフレクタは、略矩形状の輪郭をなすように形作ったワイヤに可撓性を有する反射シートを張り設けてなり、その両端部で取付具を介して前記運搬ケースに取り付けられてアーチ形状をなすものである請求項２または３記載の撮影環境構築キット。
【請求項５】
前記運搬ケースは、撮影時に被写体を載置し得る平板面部と該平板面部にヒンジを介して連なる立壁面部とを有する展開可能なものであり、
前記レフレクタは、前記平板面部の両側及び上方を覆うように設置されるものであって、
前記立壁面部を立て起こし、これを前記レフレクタに対して取付具を介して取り付けることで被写体を据え置くための空間領域が構成される請求項２、３または４記載の撮影環境構築キット。
【請求項６】
前記バックシートを前記立壁面部及び前記平板面部を遮蔽するように前記立壁面部または前記レフレクタに取付具を介して取り付けることができる請求項５記載の撮影環境構築キット。
【発明の詳細な説明】
【技術分野】
【０００１】
本発明は、場所を問わずに簡便に撮影環境を構築することが可能なキットに関する。
【背景技術】
【０００２】
例えば、カタログやパンフレット等に掲載するための製品写真等のように被写体が鮮明に撮影された写真を得るには、撮影用の設備が充実したスタジオを利用しなければならない。だが、撮影の必要が生じる都度スタジオを利用するのは金銭的、時間的コストの面で不利である。このような問題を解消するための手段として、下記特許文献に示されているように、所要の場所に設置して好適な環境で撮影を行うことができる撮影用簡易スタジオが考案されている。
【特許文献１】特開平１１−１０９４６０号公報
【特許文献２】特開平１０−１４２６５９号公報
【発明の開示】
【発明が解決しようとする課題】
【０００３】
しかしながら、上記例の如き撮影用簡易スタジオでは携帯性までは必ずしも考慮されておらず、その持ち運びは容易とは言えない。従って、何時、何処で写真撮影が行われるか不定である状況下での運用は困難であり、急遽写真撮影を行う必要が生じた場合等に迅速に対応できないことがある。
【０００４】
上記の課題に初めて着目してなされた本発明は、携帯性を向上させ簡便に撮影環境を構築できるようなキットを提供することを主たる目的とする。
【課題を解決するための手段】
【０００５】
上述した課題を解決すべく、本発明では、被写体の背景として配置されるバックシートと、少なくとも前記バックシートを収納する保護ケースと、前記保護ケースを運搬可能に保持するとともに撮影時に前記バックシートを支持し得る運搬ケースとを具備する撮影環境構築キットを構成した。このようなものであれば、少なくともバックシートと運搬ケースとを組み合わせて使用して簡便に撮影環境を構築できるだけでなく、その携帯性も向上する。
【０００６】
さらに、運搬ケースに直接にバックシートを納めると、運搬ケースに外力が加わった場合等にバックシートが強く押しつけられて折り目がついてしまい撮影時における背景としての使用に支障を来す恐れがあったが、保護ケースの存在によりバックシートが保護され、これに折り目がつくようなことを回避できる。
【０００７】
撮影時に被写体の近辺に配置されるレフレクタをさらに具備し、前記保護ケースに前記レフレクタをも収納し得るものとすればより好ましい。保護ケースにより、バックシート及びレフレクタの損傷や汚濁を防止することができる。
【０００８】
前記保護ケースが、前記レフレクタに前記バックシートを巻いた状態でレフレクタ及びバックシートを収納し得るものであるならば、バックシートを単純に折り畳んで収納した場合と比較して折り目が一層つきにくくなる。
【０００９】
前記レフレクタが、略矩形状の輪郭をなすように形作ったワイヤに可撓性を有する反射シートを張り設けてなり、その両端部で取付具を介して前記運搬ケースに取り付けられてアーチ形状をなすものであるならば、運搬ケース上に被写体を載置することで該被写体の上方及び側方にアーチ形状のレフを設営することが可能となる。また、略矩形状の外形をなすレフレクタの一端側を裏返すように他端側に対して１８０度ねじり、しかる後一端側と他端側とを接合するように折り畳むことができる。ここで、反射シートとは、レフレクタとしての作用を営むのに好適な拡散反射特性を備えるもの、例えば白色布等のことを言う。また、取付具とは、ファスナー、スナップボタン、フック、クリップその他を包括する概念であるが、その典型例として面ファスナーを挙げることができる。
【００１０】
前記運搬ケースが、撮影時に被写体を載置し得る平板面部と該平板面部にヒンジを介して連なる立壁面部とを有する展開可能なものであり、前記レフレクタが、前記平板面部の両側及び上方を覆うように設置されるものであって、前記立壁面部を立て起こし、これを前記レフレクタに対して取付具を介して取り付けることができるものとしてもよい。上記の構成により、運搬ケースの平板面部及び立壁面部並びにレフレクタによって包囲される空間領域が開成される。そして、その内に被写体を据え置くことで、好適な撮影環境の下で被写体の撮影を行うことが可能となる。
【００１１】
加えて、前記バックシートを、前記立壁面部及び前記平板面部を遮蔽するように前記立壁面部または前記レフレクタに取付具を介して取り付けできるものとすれば好適である。
【発明の効果】
【００１２】
以上に詳述した本発明によれば、容易に持ち運ぶことができ、時間や場所を問わずに簡便に撮影環境を構築可能となる。
【発明を実施するための最良の形態】
【００１３】
以下、本発明の実施の形態を、図面を参照して説明する。図１ないし図１１に示すものは、本発明の一実施形態に係る撮影環境構築キットである。該撮影環境構築キットは、好適な撮影環境を構築するべく使用されるバックシート２、レフレクタ３、並びに、これらバックシート２及びレフレクタ３を保持してその運搬を容易とするための運搬ケース１を主な構成要素とする。
【００１４】
まず、運搬ケース１について述べる。本実施形態の運搬ケース１は、図１ないし図４等に示すように、各部が一体をなし展開可能な薄手の帯状のものであり、例えば芯材を布製のカバーで被覆してなる。該運搬ケース１は、概略平板な平板面部１１と、底面部１２を介して平板面部１１に連なる立壁面部１３と、立壁面部１３とは反対側に背面部１４を介して平板面部１１に連なる蓋部１５とを有する。平板面部１１と立壁面部１３とは互いに略同一形状の矩形体である。また、底面部１２と背面部１４とは互いに略同一形状であり、その奥行寸法が幅寸法と比較して小さい細長の矩形体である。蓋部１５、背面部１４、平板面部１１、底面部１２、立壁面部１３のそれぞれの間にはヒンジを設けてある。従って、各ヒンジの部分で折り曲げることで筒形状に変形させることができ、その内にバックシート２、レフレクタ３等を収容して保持可能である。運搬ケース１を筒形状とした状態で、蓋部１５の内面を立壁面部１３の外面の先端部位に接合することができる。因みに、本実施形態では、持ち運びの際に把持される取手１６を背面部１４の外面に取り付けてある。
【００１５】
なお、本実施形態では、撮影環境構築キットを運搬するに際し、バックシート２及びレフレクタ３を保護ケース４に収納した上でこの保護ケース４を運搬ケース１でくるむものとしている。保護ケース４は、図５に示すように、バックシート２及びレフレクタ３を収納するための収納空間を有する薄型の箱体であり、例えばポリプロピレン等を素材とする。保護ケース４の外形寸法、即ち幅寸法Ｌ４、長さ寸法Ｌ５、厚み寸法Ｌ６はそれぞれ運搬ケース１の幅寸法Ｌ１、平板面部１１（または、立壁面部１３）の長さ寸法Ｌ２、底面部１２（または、背面部１４）の奥行寸法Ｌ３に略対応する。
【００１６】
運搬ケース１には、複数箇所に面ファスナー要素Ｅ１１、Ｅ１２、Ｅ１３、Ｅ１４、Ｅ１５、Ｅ１６を設けてある。ここに言う面ファスナー要素とは、面ファスナーを構成する一対の接着可能な部材（典型的には、いわゆるフックテープとループテープ）の何れか一方のことである。図示例では、蓋部１５の内面、平板面部１１の内面の両側、底面部１２の内面、立壁面部１３の内面の先端部位、外面の先端部位、内面の基端部位の両側、等にそれぞれ面ファスナー要素Ｅ１１、Ｅ１４、Ｅ１３、Ｅ１６、Ｅ１２、Ｅ１５を設けている。これらのうち、蓋部１５の内面の面ファスナー要素Ｅ１１と立壁面部１３の外面の面ファスナー要素Ｅ１２とは、運搬ケース１を筒形状としたときに互いに接着してその状態を維持する。つまり、保護ケース４をくるんで蓋部１５を面ファスナーで固定することで、保護ケース４が運搬可能に保持されることとなる。また、運搬ケース１で保護ケース４をくるむと、運搬ケース１の底面部１２と保護ケース４の対応する側面とが重合する。この保護ケース４の側面には、底面部１２に設けられた面ファスナー要素Ｅ１３に相対する面ファスナー要素Ｅ４１が予め設けられており、保護ケース４をくるんだときに両面ファスナー要素Ｅ１３、Ｅ４１が接着する。このことにより、運搬時において保護ケース４の運搬ケース１からの脱離が阻止される。
【００１７】
バックシート２は、被写体（図示せず）の背景として敷設される薄状体であり、例えば布、紙等を素材としてなる。図６に示すように、本実施形態のバックシート２は略矩形状をなし、その短手方向の寸法Ｌ７は運搬ケース１の幅寸法Ｌ１と略同一かまたはやや小さい寸法に設定されている。通常、バックシート２の表面は背景色として使用されるのに好適な単色、即ち黒、紺等の暗色である。バックシート２の裏面には、面ファスナー要素Ｅ２１を設けてある。この面ファスナー要素Ｅ２１は、撮影時において運搬ケース１にバックシート２を支持させるために用いられる。図示例では、面ファスナー要素Ｅ２１をバックシート２の長手方向の一方の端部に設けている。
【００１８】
レフレクタ３は、照明やカメラのフラッシュ等の光源（図示せず）より放射される光を拡散させて反射し被写体に当てる役割を担う。図７に示すように、本実施形態のレフレクタ３は、略矩形状の輪郭をなすように形作ったワイヤのフレーム３１に可撓性を有する反射シート３２を張り設けてなる。反射シート３２は、レフレクタ３としての作用を営むのに好適な拡散反射特性を備える部材であるが、本実施形態では白色布を反射シート３２として採用している。該レフレクタ３の外形は略矩形状をなし、その短手方向の寸法Ｌ８は運搬ケース１の平板面部１１の長さ寸法Ｌ２と略同一かまたはやや小さい寸法に設定されている。レフレクタ３の外周縁には、テープ形の面ファスナー要素Ｅ３１、Ｅ３２、Ｅ３３を取り付けてある。図示例では、長手方向の両端、言い換えるならば両短手縁にそれぞれ面ファスナー要素Ｅ３１を取り付けており、かつ、一方の長手縁の中央部位及び両端部位に面ファスナー要素Ｅ３２、Ｅ３３を取り付けている。これら面ファスナー要素Ｅ３１、Ｅ３２、Ｅ３３は、撮影時において運搬ケース１とレフレクタ３とを結合するために用いられる。
【００１９】
なお、本実施形態のレフレクタ３は、長手縁に沿って平行に延伸する対をなすワイヤ同士を連結する補助フレーム３３をも備えている。補助フレーム３３は、例えば反射シート３２と同質の布地にワイヤを縫い込んでなる、直線上の部材である。該補助フレーム３３は、長手方向の中央部位を横断するようにレフレクタ３の両長手縁に取り付ける。補助フレーム３３の少なくとも一端は、レフレクタ３の長手縁に対して着脱自在としてある。図示例では、補助フレーム３３の一端を面ファスナー、フックその他の取付具３４を介してレフレクタ３の一方の長手縁に着脱自在に取り付け得るようにし、他端はレフレクタ３の他方の長手縁に脱抜不能に装着している。補助フレーム３３は、後述するように、アーチ形状に湾曲させて運搬ケース１に取り付けた場合においてその形状を維持するために機能する。
【００２０】
外形を構成するフレーム３１を弾性変形させることを通じて、レフレクタ３を変形させることができる。例えば、図８に示すように長手方向の一端側を裏返すように他端側に対して１８０度ねじり、しかる後図９に示すように一端側と他端側とを近づけるように操作することで、レフレクタ３を収納に適した形に折り畳むことが可能である。但しこのとき、上記の補助フレーム３３の少なくとも一端を予めレフレクタ３の長手縁より取り外しておく。このように折り畳んだ後で、短手縁に取り付けてある面ファスナー要素Ｅ３１を用いて両端を接合するようにしてもよい。
【００２１】
バックシート２及びレフレクタ３を保護ケース４に収容するにあたっては、既に述べたように折り畳んだレフレクタ３に図５に示しているようにバックシート２を巻いた上で、これらレフレクタ３及びバックシート２を保護ケース４が内包する収納空間に収納する。
【００２２】
以降、本実施形態の撮影環境構築キットを用いて撮影環境の構築を行う手順に関して述べる。まず、内面を上に向けて展開した運搬ケース１の平板面部１１に対し、レフレクタ３をアーチ形状に湾曲させて取り付ける。即ち、レフレクタ３の長手方向の両端部の各々を平板面部１１の両側に取付具たる面ファスナーを介して取り付ける。より具体的には、レフレクタ３の短手縁に設けた面ファスナー要素Ｅ３１と、平板面部１１に設けた面ファスナー要素Ｅ１４とをそれぞれ接合することで、図１０に示すようにアーチ形状をなす状態にレフレクタ３を運搬ケース１に取り付ける。但しこのとき、面ファスナー要素Ｅ３２、Ｅ３３を設けたレフレクタ３の一方の長手縁が運搬ケース１の立壁面部１３寄りにあるように配置する。これにより、平板面部１１の両側及び上方がレフレクタ３によって覆われる。
【００２３】
続いて、立壁面部１３を立て起こし、これをレフレクタ３に対して取付具たる面ファスナーを介して取り付ける。より具体的には、レフレクタ３の一方の長手縁の中央部位に設けた面ファスナー要素Ｅ３２と立壁面部１３の外面の（立壁面部１３を立て起こした状態において上端側となる）先端部位に設けた面ファスナー要素Ｅ１２とを接合する。なおかつ、レフレクタ３の一方の長手縁の両端部位に設けた面ファスナー要素Ｅ３３と立壁面部１３の内面の（立壁面部１３を立て起こした状態において下端側となる）基端部位の両側に設けた面ファスナー要素Ｅ１５とを接合する。このようにして、運搬ケース１の平板面部１１及び立壁面部１３並びにレフレクタ３により手前側に開口する空間領域を開成することができる。
【００２４】
また、被写体の背景となるバックシート２を取り付けるに際しては、バックシート２に設けた面ファスナー要素Ｅ２１と、運搬ケース１の立壁面部１３の内面の先端部位に設けた面ファスナー要素Ｅ１６とを接合する。取付具たる面ファスナーを介して取り付けられたバックシート２は、図１１に示すように運搬ケース１の立壁面部１３及び平板面部１１を概略被覆するものとなる。但し、バックシート２を、運搬ケース１に対してではなくレフレクタ３に対して面ファスナー等の取付具を介して取り付ける態様を妨げない。
【００２５】
以上の結果、運搬ケース１並びにレフレクタ３により構成された空間領域にバックシート２が敷設された撮影環境が構築される。そして、バックシート２が敷設された平板面部１１の上に被写体を据え置くことで、好適な撮影環境下で被写体の撮影を行うことが可能となる。レフレクタ３は、この被写体の上方及び側方に配置されることとなる。
【００２６】
本実施形態によれば、被写体の背景として配置されるバックシート２と、少なくとも前記バックシート２を収納する保護ケース４と、前記保護ケース４を運搬可能に保持するとともに撮影時に前記バックシート２を支持し得る運搬ケース１とを具備する撮影環境構築キットを構成したため、少なくともバックシート２と運搬ケース１とを組み合わせて使用して簡便に撮影環境を構築できるだけでなく、その携帯性も向上する。加えて、バックシート２を保護ケース４に収納した上で運搬ケース１に保持させるようにしているので、運搬ケース１に外力が加わった場合にもバックシート２が保護ケース４で保護され、これに折り目がつくようなことが回避される。
【００２７】
撮影時に被写体の近辺に配置されるレフレクタ３をさらに具備し、前記保護ケース４に前記レフレクタ３をも収納し得るものとしたため、レフレクタ３をも利用したより好適な撮影環境の構築が可能である。
【００２８】
前記保護ケース４が、前記レフレクタ３に前記バックシート２を巻いた状態でレフレクタ３及びバックシート２を収納し得るものであるため、バックシート２を単純に折り畳んで収納した場合と比較して折り目が一層つきにくくなる。
【００２９】
前記レフレクタ３が、略矩形状の輪郭をなすように形作ったワイヤに可撓性を有する反射シート３２を張り設けてなり、その両端部で取付具たる面ファスナー（即ち、面ファスナー要素Ｅ３１及びＥ１４）を介して前記運搬ケース１に取り付けられてアーチ形状をなすものであるため、運搬ケース１上に被写体を載置することで該被写体の上方及び側方にアーチ形状のレフを設営可能となっている。また、略矩形状の外形をなすレフレクタ３の一端側を裏返すように他端側に対して１８０度ねじり、しかる後一端側と他端側とを接合するように折り畳むことができる。
【００３０】
前記運搬ケース１が、撮影時に被写体を載置し得る平板面部１１と該平板面部１１にヒンジを介して連なる立壁面部１３とを有する展開可能なものであり、前記レフレクタ３が、前記平板面部１１の両側及び上方を覆うように設置されるものであって、前記立壁面部１３を立て起こし、これを前記レフレクタ３に対して取付具たる面ファスナー（面ファスナー要素Ｅ３２及びＥ１２、Ｅ３３及びＥ１５）を介して取り付けることができるものとしたため、運搬ケース１の平板面部１１及び立壁面部１３並びにレフレクタ３によって包囲される空間領域が開成される。そして、その内に被写体を据え置くことで、好適な撮影環境の下で被写体の撮影を行うことが可能となる。
【００３１】
加えて、前記バックシート２を、前記立壁面部１３及び前記平板面部１１を遮蔽するように前記立壁面部１３または前記レフレクタ３に取付具たる面ファスナー（面ファスナー要素Ｅ２１及びＥ１６）を介して取り付けできるものとしており、撮影時における背景の設営も簡便である。
【００３２】
その上で、運搬ケース１に平板面部１１が設けられ、この平板面部１１上にバックシート２を敷設して撮影シーンを構築し得るものとなっている。運搬ケース１を被写体を据え置く土台として用いることができるため、撮影を行うにあたり例えばデスクの上等の広く平らなスペースを必ずしも必要としない。即ち、どのような場所においても撮影環境を構築することが可能である。
【００３３】
なお、本発明は以上に詳述した実施形態に限られるものではない。特に、運搬ケース１にバックシート２やレフレクタ３を取り付けるための取付具は、面ファスナーであるとは限られず、これに替えてスナップボタン、フック、クリップ等を採用することも可能である。
【００３４】
また、撮影環境構築キットの使用態様も、上述したようなものには限られない。よって、例えば、図４に示しているように内面を上に向けて展開した運搬ケース１に単純にバックシート２を敷設し、及び／または、レフレクタ３を取り付けて、撮影環境を構築してもよい。つまり、必ずしも立壁面部１３を立て起こす必要はない。
【００３５】
レフレクタ３の態様も、上述した実施形態におけるようなものには限られない。例えば、対向する一対の側板と両側板に支持される天板とを有する折り畳み可能なものとして、これら側板及び天板で被写体を囲うようにしてもよい。
【００３６】
その他各部の具体的構成は上記実施形態に限られるものではなく、本発明の趣旨を逸脱しない範囲で種々変形が可能である。
【図面の簡単な説明】
【００３７】
【図１】本発明の一実施形態に係る撮影環境構築キットを示す斜視図。
【図２】同斜視図。
【図３】同斜視図。
【図４】同実施形態の運搬ケースを示す斜視図。
【図５】同実施形態の保護ケース、バックシート及びレフレクタを示す斜視図。
【図６】同実施形態のバックシートを示す斜視図。
【図７】同実施形態のレフレクタを示す斜視図。
【図８】同実施形態のレフレクタを示す斜視図。
【図９】同実施形態のレフレクタを示す斜視図。
【図１０】同実施形態の撮影環境構築キットを示す斜視図。
【図１１】同実施形態の撮影環境構築キットを示す斜視図。
【符号の説明】
【００３８】
１…運搬ケース
２…バックシート
３…レフレクタ
４…保護ケース
【図１】
2005141146.tif 000003
【図２】
2005141146.tif 000004
【図３】
2005141146.tif 000005
【図４】
2005141146.tif 000006
【図５】
2005141146.tif 000007
【図６】
2005141146.tif 000008
【図７】
2005141146.tif 000009
【図８】
2005141146.tif 000010
【図９】
2005141146.tif 000011
【図１０】
2005141146.tif 000012
【図１１】
2005141146.tif 000013